(57)【要約】【課題】極めて薄型の光ディスク装置においても十分な冷却を行うことができ、記録再生特性の劣化を低減させることができる光ディスク装置を提供することを目的とする。【解決手段】トレイ３の開口３ｃに対向するように、ベゼル８側の光ディスク装着領域外部３ｅに開口３ｆが設けられており、光ピックアップモジュール４がこの開口３ｃを介してトレイ３に取り付けられる。極めて薄型の光ディスク装置においては、光ピックアップモジュール４のカバー６のうち、スピンドルモータ５とは反対側の部分であるカバー６ｂは、他の部分より高くなっており、このカバー６ｂの領域にも開口６ｃが設けられている。光ピックアップモジュール４がトレイ３に取り付けられると、開口６ｃはトレイ３の光ディスク装着領域外部３ｅの下側に位置し、開口３ｆは開口６ｃ内に位置する構成となる。空気流を導入するための壁は、開口６ｃ内に位置するように形成される。【選択図】図２
2005322277.tif 000002
【特許請求の範囲】
【請求項１】
光ディスクを回転させる回転駆動手段、少なくとも光源や各種光学部材を搭載し移動自在に設けられたキャリッジ、第１の開口を設けたカバーを備えた光ピックアップモジュールと、第２の開口を有し前記第２の開口から前記光ピックアップモジュールの一部を表出させるように前記光ピックアップモジュールを取り付けたトレイと、前記トレイを出没自在に保持する筐体とを備え、前記トレイの第１の主面は光ディスク装着領域部と前記光ディスク装着領域部の外側に設けられた光ディスク装着領域外部を含み、前記光ディスク装着領域外部と前記光ピックアップモジュールとが対向するように前記トレイと前記光ピックアップモジュールを互いに結合させ、前記トレイの光ディスク装着領域外部であって前記第１の開口と対向する部分に第３の開口を設け、前記トレイに対して前記光ピックアップモジュールが取り付けられるときに、光ディスクの回転によりその外周部に生じる気体流を前記第３の開口を通して、前記第１の主面とは反対側の第２の主面と前記筐体との間に導く手段としての壁が前記第１の開口内に位置するように設けられたことを特徴とする光ディスク装置。
【請求項２】
前記第１の開口内に位置するように設けられた壁に連続するように、前記トレイの光ディスク装着領域外部の縁に沿って壁が設けられたことを特徴とする請求項１記載の光ディスク装置。
【請求項３】
前記壁の高さは、キャリッジの移動に伴って壁とキャリッジとが接触することがないように調整されていることを特徴とする請求項１記載の光ディスク装置。
【請求項４】
前記第３の開口は前記光ディスク装着領域部と連通して設けられていることを特徴とする請求項１記載の光ディスク装置。
【請求項５】
前記第１の開口は回転駆動手段と光ピックアップモジュールの外端の間に設けられ、前記第１の開口の回転駆動手段と反対側の端部は、トレイの前端面側に設けられたことを特徴とする請求項１記載の光ディスク装置。
【請求項６】
前記第３の開口が回転駆動手段に対してトレイの前端面部分に設けられたことを特徴とする請求項１記載の光ディスク装置。
【請求項７】
前記筐体の中央部分の厚みが９．５ｍｍ以下であることを特徴とする請求項１記載の光ディスク装置。
【発明の詳細な説明】
【技術分野】
【０００１】
本発明は、パーソナルコンピュータ，ノートブック型コンピュータなどの電子機器に搭載される光ディスク装置に関するものである。
【背景技術】
【０００２】
光ディスク装置は、ＣＤ−ＲＯＭ、ＣＤ−Ｒ／ＲＷ、ＤＶＤなどがすでに実用化されており、各方面への応用と高性能化への開発が活発に行われている。特に最近では、パーソナルコンピュータの急速な市場拡大に伴い光ディスク装置のパーソナルコンピュータへの内蔵普及率も高くなっている。
【０００３】
従来の光ディスク装置の斜視図を図１０に示す。
【０００４】
図１０において、光ディスク装置１は、筐体２と、筐体２に出没自在に保持されたトレイ３とを有している。筐体２は、金属製の筐体部２ａ、２ｂを組み合わせて袋状であり、筐体２の開口からトレイ３が出没する構成となっている。
【０００５】
トレイ３には裏面から光ピックアップモジュール４が取り付けられている。トレイ３の両側部には移動自在にレール３ａが設けられ、このレール３ａはトレイ３に一体に設けられたレール保持部３ｂに保持されている。なお、図１０では一方の側部にのみレール３ａが設けられているが、他方の側部に同様のレールが設けられている。
【０００６】
光ピックアップモジュール４は光ディスクを回転駆動させるスピンドルモータ５と、スピンドルモータ５から外周にかけて開口６ａを設けた金属製のカバー６と、開口６ａから一部が露出したキャリッジ７とを少なくとも有している。キャリッジ７は光ピックアップモジュール４に設けられた複数の支持シャフトに移動自在に保持されており、しかも図示していないフィードモータによって、スピンドルモータ５に近づいたり、離れたりするように移動できる。８はトレイ３の前面に設けられたベゼルで、ベゼル８は筐体２の開口を塞ぐ程度の大きさで構成されている。キャリッジ７には、高出力のレーザーダイオード等の光源，各種光学部材及び光ディスク上に光スポットを構成する対物レンズなどが搭載されている。
【０００７】
近年は特に、薄型の光ディスク装置が求められており、すでに筐体２の中央部分の厚みが９．５ｍｍのものが開発されている。図１１から図１５に、その構成を示す。
【０００８】
図１１は、従来の光ディスク装置において、トレイ３に光ピックアップモジュール４が取り付けられた状態を表側から見た斜視図であり、図１２は、図１１に示したものを方向を変えて見た斜視図であり、図１３は同じく、図１１に示したものを方向を変えて見た斜視図である。また、図１４は、図１１に示したものを裏返してボトム側から見た斜視図であり、図１５は、図１４に示したものを分解した状態の斜視図である。
【０００９】
光ディスクに記録などを行う際には、高出力の光源や、その光源を駆動するＩＣ等が必要となってくる。その結果、光源やＩＣの発熱がおびただしくなって、記録再生特性に影響を及ぼすことが生じている。特に筐体２の中央部分の厚みが９．５ｍｍ以下というような薄型の光ディスク装置においては、熱容量が低下するため、高出力レーザを用いようとすると、熱的に破綻してしまう。
【００１０】
光ディスク装置内を冷却する方法については、例えば（特許文献１）、（特許文献２）
に記載されている。
【特許文献１】特開平１１−２５６６７号公報
【特許文献２】特開２０００−２３１７８２号公報
【発明の開示】
【発明が解決しようとする課題】
【００１１】
これらは、光ディスクを回転させる際に生じる空気流をキャリッジ７に導いて、冷却する方法について記載したものであるが、これらの方法は、そもそも、筐体２の中央部の厚みが９．５ｍｍ以下の光ディスク装置を想定しておらず、このような超薄型の光ディスク装置においては、冷却効果が充分であるとはいえない。
【００１２】
本発明者は、トレイの光ディスク装着側と反対側の領域に空気流を導入する手段を設けて冷却効果を高めた薄型光ディスク装置をすでに出願しているが、筐体２の中央部の厚みが９．５ｍｍ以下のように、極めて薄型の光ディスク装置においては、空気流の導入によって冷却効果を得るために改善の余地があることがわかった。
【００１３】
９．５ｍｍ以下の薄型の光ディスク装置においては、光ピックアップモジュール４のカバー６とキャリッジ７との間の隙間が小さくなる。そのため、光ピックアップモジュール４のカバー６は、従来のものとは異なる構造を採らざるを得ない。これについて以下に説明する。
【００１４】
キャリッジ７は光ディスク９の面に対して垂直に設定されることが必要であり、支持シャフト１０のあおり調整によってこの状態を維持している。このあおり調整の様子を図１６に示す。図１６（ａ）に示すように、キャリッジ７に搭載されたピックアップ１１は、光ディスク９の面に対して垂直に設定される。ピックアップ１１は支持シャフト１０に沿って光ディスク９の半径方向に移動するが、いずれの位置においても光ディスク９の面に対して垂直となる必要がある。しかしながら、部品の寸法や組立てでのばらつきにより、単純に組立てただけでは、要求される垂直度が確保できない。そのため、支持シャフト１０は両端の支持高さを調整できるようになっており、光ディスク９の面に対して、垂直になるように図１６（ｂ）に示すような、あおり調整がなされる（図１６（ｂ）では外周側をディスク９に合わせて持ち上げた状態を示している）。この調整により、キャリッジ７は外側にいくほど上下に動くことになるため、光ピックアップモジュール４のカバー６の外側が上側に逃げる構造として、キャリッジ７がカバー６に接触することなくあおり調整が可能なようにしている。ところが、光ピックアップモジュール４のカバー６がこのような構造を持つ光ディスク装置においては、カバー６の外側が上側に逃げる構造であるために、トレイ３の外周側の面とカバー６の面とが接近し、これまでの構成で空気流を有効に導入して冷却効果を得ることが難しい。
【００１５】
本発明は、上記従来の課題を解決するもので、極めて薄型の光ディスク装置においても十分な冷却を行うことができ、記録再生特性の劣化を低減させることができる光ディスク装置を提供することを目的とする。
【課題を解決するための手段】
【００１６】
本発明は、上記の課題を解決するためになされたもので、光ディスクを回転させる回転駆動手段、少なくとも光源や各種光学部材を搭載し移動自在に設けられたキャリッジ、第１の開口を設けたカバーを備えた光ピックアップモジュールと、第２の開口を有し第２の開口から光ピックアップモジュールの一部を表出させるように光ピックアップモジュールを取り付けたトレイと、トレイを出没自在に保持する筐体とを備え、トレイの第１の主面は光ディスク装着領域部と光ディスク装着領域部の外側に設けられた光ディスク装着領域外部を含み、光ディスク装着領域外部と光ピックアップモジュールとが対向するようにト
レイと光ピックアップモジュールを互いに結合させ、トレイの光ディスク装着領域外部であって第１の開口と対向する部分に第３の開口を設け、トレイに対して光ピックアップモジュールが取り付けられるときに、光ディスクの回転によりその外周部に生じる気体流を第３の開口を通して、第１の主面とは反対側の第２の主面と筐体との間に導く手段としての壁が第２の開口内に位置するように設けられたことを特徴とする光ディスク装置である。
【発明の効果】
【００１７】
本発明によると、トレイの光ディスク装着側の比較的温度の低い部分の空気を、トレイの光ディスク装着側と反対側の領域に有効に導入することができるので、特に薄型及び小型化された光ディスク装置の熱対策を行うことができ、熱による記録再生特性の劣化などの不具合を抑えることができる。
【発明を実施するための最良の形態】
【００１８】
第１の発明は、光ディスクを回転させる回転駆動手段、少なくとも光源や各種光学部材を搭載し移動自在に設けられたキャリッジ、第１の開口を設けたカバーを備えた光ピックアップモジュールと、第２の開口を有し第２の開口から光ピックアップモジュールの一部を表出させるように光ピックアップモジュールを取り付けたトレイと、トレイを出没自在に保持する筐体とを備え、トレイの第１の主面は光ディスク装着領域部と光ディスク装着領域部の外側に設けられた光ディスク装着領域外部を含み、光ディスク装着領域外部と光ピックアップモジュールとが対向するようにトレイと光ピックアップモジュールを互いに結合させ、トレイの光ディスク装着領域外部であって第１の開口と対向する部分に第３の開口を設け、トレイに対して光ピックアップモジュールが取り付けられるときに、光ディスクの回転によりその外周部に生じる気体流を第３の開口を通して、第１の主面とは反対側の第２の主面と筐体との間に導く手段としての壁が第２の開口内に位置するように設けられたことを特徴とする光ディスク装置である。
【００１９】
この構成により、光ピックアップモジュールのカバーの面とキャリッジとの間の隙間が小さく、光ピックアップモジュールのカバーの面とトレイの外周側の面とが接近している、極めて薄型の光ディスク装置においても、熱の発生により高温となりやすい領域に空気流を効率良く導くことができ、冷却効果を高めることができる。
【００２０】
第２の発明は、第１の発明の光ディスク装置において、第１の開口内に位置するように設けられた壁に連続するように、トレイの光ディスク装着領域外部の縁に沿って壁が設けられたことを特徴とする。
【００２１】
第１の開口内に位置するように設けられた壁だけでは、空気流の一部が第２の主面と筐体との間に導かれずに漏れることがあるが、この壁に連続してトレイの光ディスク装着領域外部の縁に沿って壁を設けることにより、空気流の漏れを防止して第２の主面と筐体との間に効果的に空気流を導くことができ、冷却効率が向上する。また、薄型の光ディスク装置においては、トレイの厚みが薄いために剛性が低下しやすいが、この壁を設けることによって、剛性を高めて強度を向上することができる。
【００２２】
第３の発明は、第１の発明の光ディスク装置において、壁の高さは、キャリッジの移動に伴って壁とキャリッジとが接触することがないように調整されていることを特徴とする。
【００２３】
薄型の光ディスク装置においては、キャリッジが移動する際に、光ピックアップモジュールに搭載された対物レンズ等がトレイに設けられた壁に接触しやすくなる。特に、光ピックアップモジュールのあおり調整によってキャリッジが上方に動くことがあり、また、
反りのある光ディスクが装着されたときには、対物レンズがフォーカス方向に追従しようとしてキャリッジが上方に動くことがある。また、落下等の衝撃が光ディスク装置に加わると、キャリッジが壁に接触しやすくなる。本発明においては、壁の高さを、キャリッジの移動に伴って壁とキャリッジとが接触することがないように調整することにより、キャリッジが損傷を受けることを防止している。
【００２４】
第４の発明は、第１の発明の光ディスク装置において、第３の開口は光ディスク装着領域部と連通して設けられていることを特徴とする。
【００２５】
この構成により、筐体と光ディスクとの間の比較的温度の低い部分の空気を、光ディスクの回転に伴って筐体とトレイとの間に導く際に、散乱させることなく直接導くことができ、空気流導入の効率がよい。
【００２６】
第５の発明は、第１の発明の光ディスク装置において、第１の開口は回転駆動手段と光ピックアップモジュールの外端の間に設けられ、第１の開口の回転駆動手段と反対側の端部は、トレイの前端面側に設けられたことを特徴とする。
【００２７】
この構成により、光ディスク装置が電子機器などに装着された際に、外気に近い側に第３の開口を配置できるため、冷却効果が高い。
【００２８】
第６の発明は、第１の発明の光ディスク装置において、第３の開口が回転駆動手段に対してトレイの前端面部分に設けられたことを特徴とする。
【００２９】
この構成により、光ディスク装置が電子機器などに装着された際に、外気に近い側に第３の開口を配置できるため、冷却効果が高い。
【００３０】
第７の発明は、第１の発明の光ディスク装置において、筐体の中央部分の厚みが９．５ｍｍ以下であることを特徴とし、このような薄型の光ディスク装置において特に冷却効果が顕著である。
【００３１】
（実施の形態１）
以下、本発明における光ディスク装置の実施の形態について説明する。
【００３２】
図１は本発明の実施の形態１における光ディスク装置の斜視図である。また、図２には、本発明の実施の形態１に係る光ディスク装置の分解斜視図を示す。
【００３３】
図１において、光ディスク装置１は、筐体２と、筐体２に出没自在に保持されたトレイ３とを有している。筐体２は、金属製の筐体部２ａ、２ｂを組み合わせて袋状であり、筐体２の開口からトレイ３が出没する構成となっている。
【００３４】
筐体部２ａと筐体部２ｂとは図示していない係止手段と螺旋などを用いて、互いに強固に固定されている。筐体２の構成材料としては鉄，鉄合金，アルミ，アルミ合金，マグネシウム合金などの金属材料の様な導電材料が好適に用いられる。また、樹脂材料で各筐体部を構成し、その上に電着などの手法を用いて導電性の高い金属膜を形成したものも用いられる。更に、筐体部２ａ及び筐体部２ｂそれぞれ同種の材料で構成しても良いし、異種の材料で構成しても良い。また、筐体部２ａ及び筐体部２ｂそれぞれの主平面部の平均肉厚は０．３ｍｍ〜１．６ｍｍの間であり、この平均肉厚の比較的薄い場合には筐体部２ａ及び筐体部２ｂは金属材料で構成され、例えば、金属板をプレス加工などによって形成される。また、平均肉厚の比較的厚い場合には筐体部２ａ及び筐体部２ｂはダイカスト（アルミ，マグネシウム合金など）で構成される。
【００３５】
トレイ３は、樹脂製のフレームで構成され、開口３ｃが設けられている。トレイ３の両側部には移動自在にレール３ａが設けられ、このレール３ａはトレイ３に一体に設けられたレール保持部３ｂに保持されている。なお、図１では一方の側部にのみレール３ａが設けられているが、他方の側部に同様のレールが設けられている。
【００３６】
トレイ３のディスク装着時にディスクに対向する部分には、光ディスク装着領域部３ｄが設けられており、外周は光ディスクの形状に合わせて円形状となっている。光ディスク装着領域部３ｄの外側には、光ディスク装着領域外部３ｅが設けられており、光ディスク装着領域部３ｄは光ディスク装着領域外部３ｅに対して１．５ｍｍから４ｍｍ程度（装着される光ディスクの厚みと同じかやや大きい程度）陥没した凹部を形成している。
【００３７】
本実施の形態では、トレイ３は概略方形状であり、しかも装着される最大径の光ディスクは円盤状を想定しているので、光ディスク装着領域部３ｄは前述の通り、略円形状であり、しかも光ディスク装着領域部３ｄの直径は装着される可能性のある最大径の光ディスクの直径と同じか１ｍｍ〜７ｍｍほど大きくなっている。光ディスク装着領域外部３ｅは概略三角形状となっている。また、光ディスク装着領域部３ｄは光ディスクを装着した際には、光ディスクと対向する部分を含み外周部にわずかな隙間を有する領域を示しており、光ディスク装着領域外部３ｅは、光ディスクの主面とは全く対向しない領域である。
【００３８】
光ディスク装着領域部３ｄには開口３ｃが設けられており、開口３ｃに裏面から挿入して光ピックアップモジュール４が取り付けられている。
【００３９】
光ディスク装着領域部３ｄのほぼ中心にはスピンドルモータ５が設けられている。光ディスク装着領域部３ｄは、トレイ３の一部の表面とカバー６の表面で主に形成されている。開口３ｃからは、スピンドルモータ５の少なくとも一部が突出しており、しかもキャリッジ７及びカバー６も表出している。
【００４０】
光ピックアップモジュール４は光ディスクを回転駆動させるスピンドルモータ５と、スピンドルモータ５から外周にかけて開口６ａを設けた金属製或いは樹脂製のカバー６、開口６ａから一部が露出したキャリッジ７とを少なくとも有している。キャリッジ７には高出力のレーザーダイオード等の光源、各種光学部材及び光ディスク上に光スポットを構成する対物レンズ、光源を駆動するＩＣなどが搭載されている。キャリッジ７は光ピックアップモジュール４に設けられた複数の支持シャフト（図示せず）に移動自在に保持されており、しかもフィードモータ（図示せず）によって、スピンドルモータ５に近づいたり、離れたりするように移動する。
【００４１】
８はトレイ３の前端面に設けられたベゼルで、ベゼル８は筐体２の開口を塞ぐ程度の大きさで構成されている。
【００４２】
本発明の実施の形態においては、ベゼル８側の光ディスク装着領域外部３ｅのうち、光ピックアップモジュール４が取り付けられるときに、開口６ａと対向する部分には開口３ｆが設けられている。このように開口３ｆを設けることによって、光ディスク装着領域外部３ｅにおいても開口６ａが表出している。
【００４３】
光ピックアップモジュール４のカバー６のうち、スピンドルモータ５とは反対側の部分であるカバー６ｂは、他の部分より高くなっている。これは前述したあおり調整によって必要となるからである。カバー６に設けられた開口６ａは、他の部分より高く形成されたカバー６ｂの領域にも設けられており、開口６ａのこの部分を開口６ｃとする。光ピックアップモジュール４がトレイ３に取り付けられると、開口６ｃはトレイ３の光ディスク装
着領域外部３ｅの下側に位置するようになる。これによって、開口３ｆは開口６ｃ内に位置する構成となる。なお、図では記載していないが、カバー６の強度確保等の目的でキャリッジ７の移動方向と直角に開口６ａにリブを配設し、開口６ａと開口６ｃの空間を分離しても良い。
【００４４】
図３に、図２の裏面側から見た分解斜視図を示す。トレイ３において、開口３ｆが設けられた領域の縁に沿って壁３ｇが形成されている。光ディスクの回転によりその外周部に生じる気体流は、開口３ｆに吹き込み、この壁３ｇと、開口３ｆに設けられた傾斜面３ｋにより、開口３ｆを通して、トレイ３の裏面と筐体部２ｂとの間に導かれる。
【００４５】
本発明において、開口３ｆが開口６ｃ内に位置する構成とし、壁３ｇが開口６ｃ内に位置するように形成することとしたのは、極めて薄型の光ディスク装置においては、トレイ３の外周側の面とカバー６の面とが接近するため、従来の構成では、光ディスクの回転によりその外周部に生じる空気流をトレイ３の裏面側に導入することができないからである。すなわち、トレイ３の外周側の面とカバー６の面とが接近していると、その間の隙間が狭くなり、空気の流れを十分に確保し、制御することができない。本発明では、開口３ｆが開口６ｃ内に位置する構成とし、壁３ｇが開口６ｃ内に位置するように形成していることで、トレイ３の外周側の面とカバー６の面とが接近する状況にあっても、壁３ｇや傾斜面３ｋを形成するスペースを確保することができ、空気流が開口３ｆを通ってトレイ３の裏面と筐体部２ｂとの間に導かれるようにすることができる。
【００４６】
また、壁３ｇに連続するように、トレイ３の光ディスク装着領域外部３ｅの縁に沿って壁３ｈが設けられている。壁３ｇだけでは、空気流の一部がトレイ３の裏面と筐体部２ｂとの間に導かれずに漏れることがあるが、この壁３ｇに連続してトレイ３の光ディスク装着領域外部３ｅの縁に沿って壁３ｈを設けることにより、空気流の漏れを減少させるとともに、壁に沿ったスムーズな空気流として、トレイ３の裏面と筐体部２ｂとの間に効果的に導くことができ、冷却効率が向上する。また、薄型の光ディスク装置においては、トレイ３の厚みが薄いために剛性が低下しやすいが、この壁３ｈを設けることによって、剛性を高めて強度を向上することができる。
【００４７】
光ピックアップモジュール４のカバー６のうち、スピンドルモータ５とは反対側の部分であるカバー６ｂは、他の部分より高くなっているが、光ピックアップモジュール４がトレイ３に取り付けられたときに、カバー６ｂが壁３ｇ、壁３ｈと接触しないことが必要である。そのため、カバー６の高さが立ち上がる位置は、壁３ｈの幅より外周側となるように設定されている。また、壁３ｇは、開口６ｃ内に収まるように設定されている。
【００４８】
図４に、光ピックアップモジュール４をトレイ３に取り付けた状態をボトム側から見た図を示す。図４に示すように、トレイ３に設けられた開口３ｆは、光ピックアップモジュール４の開口６ａの一部である開口６ｃ内に位置している。また、傾斜面３ｋが設けられており、空気流が効果的に開口３ｆを通してトレイ３の裏面と筐体部２ｂとの間に導かれるようにしている。図５に、開口３ｆと壁３ｇと開口６ｃとを拡大して示す。このように、開口３ｆが開口６ｃ内にあり、壁３ｇが開口６ｃ内に位置することによって、トレイ３の外周側の面とカバー６の面とが接近せざるを得ない薄型の光ディスク装置においても、トレイ３の裏面と筐体部２ｂとの間に効果的に空気流を導くことができる。
【００４９】
また、図６に、光ピックアップモジュール４をトレイ３に取り付けた状態を表側から見た図を示し、図７に、キャリッジ７が開口３ｆの近傍に移動した状態を示す。光ディスク装着領域外部３ｅのうち、開口３ｆの上面にあたる開口３ｆの上面にあたる領域３ｉは、他の領域よりも高くなるように形成されている。これは、開口３ｆを少しでも上側に設けて、光ディスクの回転によりその外周部に生じる気体流を効率良く取り入れるためである
。また、開口３ｆの上面にあたる領域３ｉの高さで光ディスク装着領域外部３ｅ全体を構成しても空気取り入れ能力は同じであるため構わない。なお、開口３ｆの上面にあたる領域３ｉが開口になっていても、実駆動時はトレイ３は筐体内に収納されているため、筐体部２ａが上面の壁となり、開口３ｆには空気流が流れる。そのため、多少効率は落ちるが、冷却効率の必要レベルによっては、開口３ｆの上面にあたる領域３ｉが開口になった構成としてもよい。
【００５０】
また、図７に示すように、キャリッジ７は開口３ｆの近傍にまで移動するが、この際に、キャリッジ７が開口３ｆの壁に接触しないことが必要である。このことを目的とした構成について、図８を用いて説明する。
【００５１】
図８は、光ピックアップモジュール４をトレイ３に取り付ける際の、ボトム側から見た分解斜視図であり、壁３ｇの高さは、キャリッジ７の移動に伴って壁３ｇとキャリッジ７とが接触することがないように調整されている。具体的には、キャリッジ７が到達する領域では、壁３ｇの高さを低くしており、あるいは、その一部に切り欠け３ｊを設けている。これに対し、図９に示すものは、切り欠け３ｊを設けずに壁３ｇを形成した例である。空気流の導入の効果のみを考慮すれば、図９に示すように、切り欠け３ｊを設けないものの方が有利であるが、キャリッジ７との接触を防止するためには、図８に示すように、壁３ｇの高さ調整を行い、切り欠け３ｊを設けた方が有利である。いずれを選択するかは、光ディスク装置の厚みと冷却効率とを考慮して適宜定めることができる。
【００５２】
以上の構成によると、光ディスクを装着して筐体２にトレイ３を収納した場合、光ディスクの回転によって筐体部２ａと光ディスクとの間の比較的温度の低い部分の空気を効果的に筐体部２ｂとトレイ３との間に導くことができ、冷却効果が高い。
【００５３】
従来の技術の様に、単に空気の流路を構成するのでは、筐体２の中央部分の厚みが９．５ｍｍ以下の光ディスク装置においては効果的な冷却は困難であったが、本実施の形態の構成により、非常に効果的に光ディスクで発生した空気流をキャリッジ７のほとんどが収納される筐体部２ｂとトレイ３との間の空間に導くことができるので、極めて高い冷却性能を得ることができる。
【００５４】
本実施の形態では、光ディスク装着領域部３ｄと連なるように光ディスク装着領域外部３ｅに開口３ｆを設けており、装着された光ディスクの外周部と開口３ｆとが極めて近い位置となるように構成することができる。そのため、効果的に空気流を導くことができる。
【００５５】
また、本発明の実施の形態では、光ディスク装着領域部３ｄとトレイ３の前端面側、すなわちベゼル８を設けた側の端部との間に開口３ｆを設けている。さらに、開口６ａもスピンドルモータ５とトレイ３のベゼル８を設けた端部との間に亘って形成されており、しかも開口６ａの長手方向はベゼル８とは非垂直となるように傾斜して設けられている。このように開口３ｆをトレイ３のベゼル側に配置したことで、通常筐体２部分はパーソナルコンピュータなどの電子機器の中に収容され、ベゼル８側は電子機器の外側に配置される構成となるので、比較的冷却された空気などを流入させやすくなる。
【００５６】
本実施の形態では、気体流として空気を用いたが、他の気体を用いても良い。
【産業上の利用可能性】
【００５７】
本発明の光ディスク装置は、効率よく空気流を循環させることができるので、特に薄型及び小型化された光ディスク装置の熱対策を行うことができ、熱による記録再生特性の劣化などの不具合を抑えることができる。そのため、パーソナルコンピュータ、ノートブッ
ク型コンピュータなどの電子機器に適用して利用することができる。
【図面の簡単な説明】
【００５８】
【図１】本発明の実施の形態１における光ディスク装置においてトレイを引き出した状態を示す斜視図
【図２】本発明の実施の形態１に係る光ディスク装置の分解斜視図
【図３】図２の裏面側から見た分解斜視図
【図４】光ピックアップモジュールをトレイに取り付けた状態をボトム側から見た図
【図５】開口と壁を拡大して示す図
【図６】光ピックアップモジュールをトレイに取り付けた状態を表側から見た図
【図７】キャリッジが開口の近傍に移動した状態を示す図
【図８】光ピックアップモジュールをトレイに取り付ける際の、ボトム側から見た分解斜視図
【図９】光ピックアップモジュールをトレイに取り付ける際の、ボトム側から見た分解斜視図において、切り欠けを設けずに壁を形成した例を示す図
【図１０】従来の光ディスク装置の斜視図
【図１１】従来の光ディスク装置において、トレイに光ピックアップモジュールが取り付けられた状態を表側から見た斜視図
【図１２】図１１に示したものを方向を変えて見た斜視図
【図１３】図１１に示したものを方向を変えて見た斜視図
【図１４】図１１に示したものを裏返してボトム側から見た斜視図
【図１５】図１４に示したものを分解した状態の斜視図
【図１６】あおり調整の様子を示す図
【符号の説明】
【００５９】
１    光ディスク装置
２    筐体
２ａ、２ｂ    筐体部
３    トレイ
３ａ    レール
３ｂ    レール保持部
３ｃ    開口
３ｄ    光ディスク装着領域部
３ｅ    光ディスク装着領域外部
３ｆ    開口
３ｇ    壁
３ｈ    壁
３ｉ    開口３ｆの上面にあたる領域
３ｊ    切り欠け
３ｋ    傾斜面
４    光ピックアップモジュール
５    スピンドルモータ
６    カバー
６ａ    開口
６ｂ    カバー
６ｃ    開口
７    キャリッジ
８    ベゼル
９    光ディスク
１０    支持シャフト
１１    ピックアップ
【図１】
2005322277.tif 000003
【図２】
2005322277.tif 000004
【図３】
2005322277.tif 000005
【図４】
2005322277.tif 000006
【図５】
2005322277.tif 000007
【図６】
2005322277.tif 000008
【図７】
2005322277.tif 000009
【図８】
2005322277.tif 000010
【図９】
2005322277.tif 000011
【図１０】
2005322277.tif 000012
【図１１】
2005322277.tif 000013
【図１２】
2005322277.tif 000014
【図１３】
2005322277.tif 000015
【図１４】
2005322277.tif 000016
【図１５】
2005322277.tif 000017
【図１６】
2005322277.tif 000018